(57)【要約】【課題】前面配線内部保守型配電盤において負荷ケーブルの入線、接続を容易にする事が出来る低圧配電盤を提供する。【解決手段】上下方向に複数のブレーカーを収納する構造の架台とその背面にブレーカーの接続端子と接続する２本の分割した母線バーと接続する分岐バーをコの字状にし、電源側母線をブレーカーの背面に配置する事によりブレーカー一次側分岐スペースを縮小し負荷側のスペースを確保する。【選択図】　図１
2004120898.tif 000002
【特許請求の範囲】
【請求項１】
前面に接続端子、背面に固定用の取付金具を有する複数のブレーカと、前記複数のブレーカを前記取付金具によって略鉛直方向に１列に並べて取り付ける架台と、前記架台の背面に、ブレーカが並ぶ方向と略平行に配した母線バーと、前記ブレーカの接続端子と前記母線バーとを接続する曲げ構造を有した分岐バーとを備えた配電盤。
【請求項２】
母線バーはスリットを有し、分岐バーを前記スリットでボルト固定させることで取り付け位置を自由に変更できるようにした請求項１記載の配電盤。
【請求項３】
母線バーは２本の分割バーで構成され、前記分岐バーを前記分割バー間の空間でボルト固定させることで取り付け位置を自由に変更できるようにした請求項１記載の配電盤。
【請求項４】
架台はスリットを有し、ブレーカ固定用の取付金具を前記スリットでボルト固定させることで取り付け位置を自由に変更できるようにした請求項１から３のいずれかに記載の配電盤。
【請求項５】
分岐バーは、コの字型形状をした請求項１から４のいずれかに記載の配電盤。
【発明の詳細な説明】
【０００１】
【発明の属する技術分野】
本発明は、前面配線内部保守型配電盤の負荷ケーブルの接続を容易にする構造に関するものである。
【０００２】
【従来の技術】
近年、受配電設備は接置床スペースの縮小、設備占有スペースの縮小、及び小型化に関する技術が知られている。
【０００３】
従来の配電盤の負荷ケーブル接続部の構造の一例として、図２にしめす配電盤２０について説明する。図２で示す配電盤２０において、２３は電源側接続端子２３ａおよび負荷側接続端子２３ｂを有するブレーカー、２１は配電盤側面より各相８０ｍｍピッチで配置された電源側母線バー、２６は負荷側ケーブルを示す。母線バー２１にはブレーカー２３の電源側接続端子２３ａと対向する位置に孔加工がされており、ブレーカー２３の電源側接続端子２３ａに銅製の分岐バー２２でボルト接続されている。またブレーカー２３の右側には、負荷ケーブル２６を配電盤の前面から接続するためのケーブル接続スペースを一定以上確保し、外部より入線してきた負荷ケーブル２６をブレーカー２３の負荷側端子２３ｂに接続し負荷へ給電している。（例えば特許文献１参照）。
【０００４】
【特許文献１】
実開平６−６６２２０号公報（図２）
【０００５】
【発明が解決しようとする課題】
上記構成においてブレーカー２３は通常１００アンペアから６００アンペアの大電流を給電するため、負荷ケーブル２６は断面積１４ｍｍ２から２５０ｍｍ２程度となり、太いケーブルを配電盤内に引き込む事となるので、負荷ケーブル２６は硬く扱いにくいものとなる。また負荷ケーブル２６は、外部より入線して引き込み後、負荷側接続端子２３ｂまでの間でケーブル重量が掛からないようにするため、個々に結束する必要があり、配電盤前面でケーブル接続する場合、特に広いケーブル接続用のスペースを必要とする。しかし配電盤の全幅寸法は設備のコストアップと広い電気室の確保が難しいという理由で充分なスペースが確保出来にくいという問題がある。また負荷ケーブル２６をブレーカー２３に接続する場合、外部から天井、底板の入線口より入線した負荷ケーブルは配電盤内で９０度にまげてブレーカーの負荷端子に接続する事となるがスペースが狭い場合ケーブルの相互干渉がありケーブルの品質確保に必要なケーブル曲げ半径（直径の６倍）を確保した工事を行う為の熟練作業者の確保に問題がある。
【０００６】
また電源側母線は配電盤側面とブレーカーとの間に最小寸法で配置されているため組立て時、現地精密点検時などの締め付けトルク確認、増し締めが極めて行ないにくいという問題がある。
【０００７】
また、配電盤製作作業に当たっては、配電盤製作作業完了後にブレーカー等の員数や容量は変更が多く、このような場合、完成後、分岐バーや外側パネル等を取り外し、再組立てをする作業が発生していた。また配電盤設置後にブレーカー等の変更が必要となったときにも同様に大掛かりな変更作業を要していた。
【０００８】
【課題を解決するための手段】
上記課題を解決するために本発明の配電盤は、前面に接続端子、背面に固定用の取付金具を有する複数のブレーカを略鉛直方向に１列に並べて架台に取り付け、架台の背面にブレーカが並ぶ方向と略平行に母線バーを配し、ブレーカの接続端子と母線バーとを接続する曲げ構造、特にコの字状にした分岐バーとを備えたものである。
【０００９】
また、本発明の配電盤は、母線バーは、２本の分割したバー、またはスリットを有したバーであり、分岐バーをスリットでボルト固定させることで取り付け位置を自由に変更できるようにしたものである。
【００１０】
さらに、本発明の配電盤は、架台はスリットを有し、ブレーカ固定用の取付金具をスリットでボルト固定させることで取り付け位置を自由に変更できるようにしたものである。
【００１１】
【発明の実施の形態】
（実施の形態１）
図１は低圧配電盤にブレーカーを上下方向に一列複数取り付けた場合の本実施の形態を示す図であり、図１（ａ）は上から見た上面図（ｂ）は正面図（ｃ）は側面図を示す。また、図１（ａ）の上面図において、図上側が配電盤背面側、図下側が配電盤正面側となる。
【００１２】
図１において、１は配電盤１０の箱体左側に設けたブレーカー１３の一次側分岐バースペース、２は中央左側に設けたブレーカースペース、３はブレーカー１３の背面に設けた一次側母線スペース、４は右側に設けたケーブル接続スペースである。ブレーカー１３は、ブレーカースペース２に箱体上下方向に設けられたブレーカー取付用の架台１７に、ブレーカーの操作ハンドル１３ｃの高さを統一するために設けられた取付金具１８を介して複数取り付けられ、配電盤１０の天井から底面に向かってほぼ一定の間隔で横向きに配列されている。
【００１３】
また一次側の銅製の母線バー１１は、架台１７の背面に、奥行き方向に各相（３相）分、架台１７とほぼ平行に上下方向になるように設けられている。
【００１４】
そして、コの字状の曲げ構造を有した分岐バー１２により、ブレーカー１３の各相毎に、母線バー１１とブレーカー１３の一次側の接続端子１３ａをボルトにより接続固定している。なお、本実施の形態では、分岐バー１２の形状はコの字状としたが、設置条件等により、その他の形状であってもよいことはいうまでもない。
【００１５】
また母線バー１１は各相毎に２本に分割された構造をしており、分岐バー１２は、高さ方向に自由度を持って接続金具１９を介して母線バー１１に接続されている。なお、本実施の形態では、母線バーは２本の分割した構造にしたが、１本のバーにスリットを設けたものであってもよい。
【００１６】
また、ブレーカー取付架台１７にはスリット１１１を設けており、このスリット１１１によりブレーカー１３の取り付け位置を高さ方向に自由に設定できる。そして分岐バー１２は、ブレーカー１３の容量ごとに異なる一次側の接続端子１３ａの位置に影響されずに接続でき、ブレーカーを自由に収納配置、配線が可能となっている。
【００１７】
なお、分岐バー１２は一次側であり、充電されるため、取り付け金具１８、配電盤１０の箱体構造の内側部分と２０ｍｍ程度の空間距離を確保している。なお本実施の形態においては、ブレーカー１３の一次側の分岐バー１２の充電部は可能な限り（規格上最低空間距離１０ｍｍ以上、一般に２０ｍｍ確保する）配電盤２０の側面側に配置し、ブレーカー１３の二次側のケーブル配線スペース４を確保するようにしている。また分岐バー１２は、安全の為充電部を取り外し式の保護カバー１５で保護している。
【００１８】
また、ブレーカー１３の負荷側には、負荷ケーブル１６を接続している。そして、負荷ケーブル１６を接続するブレーカー１３の負荷側端子１３ｂの接続部前面は、回転式保護カバー１４で保護しており、日常のブレーカー操作の時は、充電部は全てカバーされていて安全に操作できるようにしている。なお、保護カバー１４は、必要に応じて取り外したり、内部接続部の点検が可能なように組み立てられている。
【００１９】
このような構成により、配電盤内部に収納する機器に合わせた合理的な配電盤寸法を選定できる。また配電盤寸法が同じ場合、負荷ケーブル１６は充分なる入線スペース、曲げスペース、接続スペースを有する事となり安全且つ効率的に現地作業が行える事となる。
【００２０】
またブレーカー操作、接続部、電線、ケーブルなどの日常点検部分は全て前面側で可能となる。また内部接続部などの精密点検は配電盤内部より行う事により、合理的且つ安全な配電盤となる。また電源側母線は配電盤側面とブレーカーとの間に最小寸法で配置されているため組立て時、現地精密点検時などの締め付けトルク確認、増し締めが極めて行ないにくいという問題がある。
【００２１】
また、母線バー１１は各相毎に２本に分割され、分岐バーおよびブレーカー高さを自由に変更できるようにしたことで、員数や容量変更によるブレーカーの取り替え作業等が容易にできる。
【００２２】
さらに、配電盤製作作業においては、分岐バーの配線は通電部のため厳重なトルク管理が必要であるが、ブレーカー、分岐バー、母線バーをユニット化すれば、配電盤内での作業をせずとも、配電盤の外の道具・部品・工具のそろった広いスペースで作業が行なえ、作業完了後ユニット化したものを配電盤内に入れる事で効率的に作業ができる。
【００２３】
【発明の効果】
本発明は、配電盤に於いて太い負荷ケーブルを無理なく接続できる構造を配電盤の寸法を大きくすることなく実現でき経済的効果が大きい。また引き込み配線スペースを広く取る事により現地作業の安全、効率を図るとともに前面保守可能な構造を実現できる。また組立て時、精密点検時の母線の締め付けトルク確認、増し締めなどは広い盤内側から行う事が出来安全かつ確実な作業を行う事が出来る。
【図面の簡単な説明】
【図１】（ａ）本発明の実施の形態１における配電盤の平面図
（ｂ）本発明の実施の形態１における配電盤の正面図
（ｃ）本発明の実施の形態１における配電盤の側面図
【図２】（ａ）本発明の従来の実施例における配電盤の平面図
（ｂ）本発明の従来の実施例における配電盤の正面図
（ｃ）本発明の従来の実施例における配電盤の側面図
【符号の説明】
１１　母線バー
１２　分岐バー
１３　ブレーカー
１７　架台
１８　ブレーカー取り付け金具
１１１　スリット
【図１】
2004120898.tif 000003
【図２】
2004120898.tif 000004